(57)【特許請求の範囲】
【請求項１】
容器蓋に軸を設け、前記軸にティーパックを取り付けることが出来る取り付け部分を設け、前記軸を容器蓋の底面に接合させる部分（ジョイント）にゴムやバネを備えたことを特徴とするティーパック取り付け機能付き容器蓋。
【請求項２】
前記軸が可撓性を持つことを特徴とする請求項１記載のティーパック取り付け機能付き容器蓋。
【請求項３】
前記軸に複数の前記取り付け部分を備えたことを特徴とする請請求項１又は２記載のティーパック取り付け機能付き容器蓋。
【請求項４】
前記容器蓋が、ペットボトルに適合することが出来ることを特徴とする請求項１、２又は３いずれか記載のティーパック取り付け機能付き容器蓋。
【発明の詳細な説明】
【技術分野】
【０００１】
この発明は、おもに、市販のペットボトルを使用して、既成のティーパックを用いて抽出
する場合に、ティーパックを容器内に浸漬させた後に、抽出後の水分を含んだティーパッ
ク殻をペットボトルの細口から簡単に取り出せる事を目的とするティーパック取り付け機能付き容器蓋に関するものである。
【背景技術】
【０００２】
従来、ペットボトルの様な細口の容器で既成のティーパックを使用する場合は、ティーパ
ックをそのまま直に容器内に入れて成分を抽出していた。又、直に入れる際にティーパッ
クに取り付けられた糸を容器蓋に挟み込むことにより、抽出後に糸を引く事で容器の細口
からティーパック殻を取り出す手段が用いられてきた。
【先行技術文献】
【特許文献】
【０００３】
【特許文献１】特開２００７−０５５６１８号  公報
【特許文献２】登録実用新案第３０１７５３４号  公報
【０００４】
特許文献１（抽出用パック）は、ティーパックの糸を容器蓋に挟み込むことにより容器の
細口からティーパック殻を取り出す手段である。前記抽出パックは特別に作られたもので
あるが、この手段（糸を容器蓋に挟み込む）では糸自体が濡れて強度が弱まり、抽出後の
ティーパック殻を引き抜く際に、既成のティーパックの糸では糸が切れたり、ティーパックに糸を止めている部分が外れたりする問題がある。
【０００５】
特許文献２（カートリッジ付きペットボトル用キャプ）は、ただ単に、ペットボトルキャ
ップの底面にカートリッジを備えたものであり、既成のティーパックを容器内に浸漬させ
た後に、抽出後の水分を含んだティーパック殻をペットボトルの細口から簡単に取り出せ
る機能は備えていない。
【発明の概要】
【発明が解決しようとする課題】
【０００６】
本願発明は、主にペットボトル等の細口の容器において、ティーパックを抽出した後に、
水分で膨張したティーパック殻を前記容器の前記細口から、如何に簡単に取り出すかを第
１の課題とする。
【０００７】
又、ティーパックの抽出速度を速めることを第２の課題とする。
【課題を解決するための手段】
【０００８】
容器蓋にティーパックを取り付けることが出来る取り付け部分を設けることで、前記取り
付け部分に取り付けたティーパックを容器内に設けることが出来ることを特徴とするティーパック取り付け機能付き容器蓋を作成する。
【０００９】
更に、複数の前記取り付け部分を備えたことを特徴とするティーパック取り付け機能付き
容器蓋を作成する。
【００１０】
又、前記取り付け部分が軸(棒)に備えつけられたことを特徴とするティーパック取り付け
機能付き容器蓋を作成する。
【００１１】
さらに、前記軸(棒)が首振り機能及び/又は可撓性を持つことを特徴とするティーパック
取り付け機能付き容器蓋を作成する。
【００１２】
そして、前記軸が空洞であることを特徴とするティーパック取り付け機能付き容器蓋を作
成する。
【００１３】
又、前記容器蓋が、ペットボトルに適合することが出来ることを特徴とするティーパック
取り付け機能付き容器蓋を作成する。
【発明の効果】
【００１４】
容器蓋にティーパックを取り付けることが出来る取り付け部分を設けることで、前記取り
付け部分に取り付けたティーパックを容器内に設けることが出来ることを特徴とするティーパック取り付け機能付き容器蓋を作成する。この効果について以下に述べる。
【００１５】
従来、既成のティーパックを細口の容器内に入れて抽出する場合、抽出後に水分を含んで
膨張する。その為、水分を含んで膨張したティーパック殻を容器の細口から取り出すこと
は困難である。
【００１６】
本願発明ティーパック取り付け機能付き容器蓋を用いた場合、水を入れた容器内にティーパッククを設けて、ティーパックの成分を抽出させた後に、前記容器蓋を外すことで、容器蓋と一体化した取り付け部分に取り付けられた抽出後の膨張したティーパック殻を前記容器から容易に引き抜く事が可能となる。
【００１７】
更に、複数の前記取り付け部分を備えたことを特徴とするティーパック取り付け機能付き
容器蓋を作成する。この効果について以下に述べる。
【００１８】
容器の大きさによっては、ティーパックが単数では足りず、単数では薄い抽出となるので、
複数のティーパックの使用が必要となる。そこで、前記取り付け部分を複数備えさせる
ことにより、複数のティーパックの使用が可能となる。
【００１９】
実施例１の００４４項で後述するように、複数のティーパックの使用においても、抽出後
の膨張したティーパック殻を前記容器から容易に引き抜く事（００１６項参照）が可能と
なる。
【００２０】
又、前記取り付け部分が軸(棒)に備えつけられたことを特徴とするティーパック取り付け
機能付き容器蓋を作成する。この効果について以下に述べる。
【００２１】
従来のように、既成のティーパックを容器に入れて抽出する場合は、ティーパックが含む
空気によりティーパックが水面に浮き上がってしまい、部分的に浸漬する事が出来ないので抽出に時間がかかる。
【００２２】
本願発明においても、容器蓋に直に取り付け部分を備えさせた形態の場合は、００２１項
で述べたようにティーパックが含む空気により、ティーパックは水面に浮き上がってしま
い、部分的に浸漬する事が出来ないので抽出に時間がかかる。
【００２３】
又、００２２項で述べた容器蓋に直に取り付け部品を備えさせてティーパックを取り付け
た場合は、容器内を満水状態にしなければ、取り付け部分に取り付けられたティーパック
は、水面に触れることが出来ない状態になるので抽出が不十分となる。
【００２４】
そこで、前記取り付け部分が軸(棒)に備えつけられたことを特徴とするティーパック取り
付け機能付き容器蓋を作成する事により、前記軸の効果により取り付け部分に取り付けられたティーパックは容器内の水に浸漬させることが可能となる。又、軸を長くすることに
より、ティーパックを深く浸漬させることが可能となるので、抽出時間が短縮される。
【００２５】
この様に、前記軸に前記取り付け部分を備えさせた場合は、ティーパックを容器内に深く
浸漬させることが可能となるので、ティーパック殻を簡単に抜き出すという本来の効果に
加えて抽出時間を短縮出来る効果を併せ持つ。
【００２６】
さらに、前記軸(棒)が首振り機能及び/又は可撓性を持つことを特徴とするティーパック
取り付け機能付き容器蓋を作成する。この効果について以下に述べる。
【００２７】
前記軸(棒)が首振り機能及び/又は可撓性を持つことにより、前記軸を支点として軸が備
えた取り付け部分に取り付けられた抽出対象物は、軸を起点とした公転回転及び/又は軸自体の自転回転を行うことが出来る。この回転により、前記抽出対象物の抽出時間を短縮させることが出来る。
【００２８】
そして、前記軸が空洞であることを特徴とするティーパック取り付け機能付き容器蓋を作
成する。この効果について以下に述べる。本願発明容器蓋に軸を備えさせることで、容器内に深く浸漬させる効果は００２４項で述べた。この軸を空洞にすることにより実施例２の００５３項で後述するストローとしての使用が可能となり、抽出後に開栓することなく、容器内の水を飲むことが可能である。又、抽出中においても、開栓することなく抽出濃度を確かめることが可能である。
【００２９】
この様に、前記軸を空洞にした場合においては、ティーパック殻を簡単に抜き出すという
本来の効果に加えて００２４項で述べた抽出時間の短縮及び開栓をしなくても飲むことが出来るストローの効果を併せ持つ。
【００３０】
さらに、前記容器蓋が、ペットボトルに適合が出来ることを特徴とするティーパック取り
付け機能付き容器蓋を作成する。この効果について以下に述べる。
【００３１】
従来は、水筒等にお茶を入れる場合は、お茶を抽出したヤカンから注ぎ込む技法であった
が、最近では、お茶等の抽出手段として使用済みのペットボトルに水を満たし、ティーパ
ックを併せて入れる技法が、各家庭で用いられるようになった。
【００３２】
この技法において、ペットボトルにティーパックを放り込んだ場合は、抽出後のティーパ
ック殻は水分を吸収して膨張する為にペットボトルの細口からの取り出しが困難である。
【００３３】
又、既成のペットボトルのペットボトルキャップのサイズは、ほぼ同じである。そこで、
本願発明ティーパック取り付け機能付き容器蓋を、既成のペットボトルの細口に適合する
ことが出来る(細口のサイズに合わせる)ようにして、ペットボトル専用の容器蓋にすることで、既成のペットボトルの殆ど全てにおいて、本願発明ティーパック取り付け機能付き
容器蓋を用いる事が可能となる。
【００３４】
前記容器蓋が、ペットボトルに適合が出来ることを特徴とするペットボトルに特化したペットボトル専用の容器蓋にすることでティーパックは抽出後に膨張しても、前記容器蓋に設けられた取り付け部分や軸をつまんで００４３項で後述するペットボトルの細口からティーパック殻を外に引き抜くことが可能となる。
【００３５】
以下においては、本願発明ティーパック取り付け機能付き容器蓋を、本願発明容器蓋と表
記して説明する。
【図面の簡単な説明】
【００３６】
【図１】本願発明容器蓋の正面図。
【図２】軸３を備えた本願発明容器蓋の正面図。
【図３】本願発明容器蓋をペットボトル５で使用する場合の正面図。
【図４】本願発明容器蓋を用いてペットボトル５の細口６から抽出後のティーパック    殻４を引き抜く状態を示す正面図。
【図５】新たな形態の本願発明容器蓋の正面図。
【図６】軸３を空洞にした本願発明容器蓋をペットボトル５で使用する場合の正面図。
【図７】首振り機能を持つ本願発明容器蓋をペットボトル５で使用する場合の正面図。
【図８】首振り機能の動作を示す正面図。
【発明を実施するための形態】
【００３７】
本願発明容器蓋１を図１で示す。図１ではペットボトル５に適合出来るようにペットボトル５の口径にあわせたペットボトル５専用のペットボトルキャップ１の底面に複数（３か所）の取り付け部分２a、２ｂ、２ｃを持つ形態を示す。前記取り付け部分２に挟み込むことで、ティーパック４は固定される。
【００３８】
又、図２では、前記ペットボトルキャップ１に軸３を備えた形態の本願発明容器蓋１を示す。図２で示す取り付け部分２はバネ式のフック状で形成され、バネの復元力によりティーパック４は固定される。
【実施例１】
【００３９】
実施例１では、図２で示す軸３を備えた本願発明容器蓋１を用いる。００３１項で述べたように、最近では使用済みのペットボトル５に水とティーパック４を直に入れることでお茶を作る技法が用いられるようになった。ティーパック４の抽出方法及び抽出後に膨張したティーパック殻４をペットボトル５から簡単に取り出す方法について図３及び図４を用いて解説する。
【００４０】
図３では本願発明容器蓋１が備える取り付け部分２a、２ｂ、２ｃに既成のティーパック４a、４ｂ、４ｃを取り付け、水を満たしたペットボトル５に軸３を用いて浸漬させる。
【００４１】
この様にしてティーパック４ａ、４ｂ、４ｃを浸漬させた後に、水漏れを防ぐためにその
底面に軸３の先端を固定させたペットボトルキャップ１を用いて栓を閉じる。
【００４２】
これで時間の経過とともにティーパック４の成分は抽出される。ティーパック４をペット
ボトル５に直に入れた場合は、抽出後のティーパック殻４は水分を含んで膨張する為、ペットボトル５の細口６からの取り出しは困難である。
【００４３】
この課題を解決する為に、本願発明容器蓋１を用いた場合は、図４で示すように、ペットボトルキャップ１の底面に備え付けられた軸３を引っ張ることで、取り付け部分２ａ、２ｂ、２ｃに取り付けられた抽出後の膨張したティーパック殻４ａ、４ｂ、４ｃを簡単に引き抜く事が出来る。
【００４４】
図２、３、４での取り付け部分２ａ、２ｂ、２ｃはバネ式のフック状の形状を用いたが、
図５においては、他の形状の取り付け部分２´を用いて、ティーパック４´を取り付けた
形態を示す。
【００４５】
図５は、ネジの形状の取り付け部分２´を設けて、この前記取り付け部分２´に適合する
ネジ穴７を持ったティーパック４´ａ、４´ｂ、４´ｃ、を取り付けたものを示す。
【００４６】
前記取り付け部分２´をネジ形状ではなく突起物を備えた形状にして、前記ティーパック
４´に突起物に結合する穴７を持つ部品を備えさせ、前記穴７に突起物を備えた取り付け
部分２´を圧入固定する方法も考えられる。
【００４７】
この様に、ティーパック４を取り付けることが出来る機能を備えていれば、取り付け部分
２は、どのような形態であっても構わない。
【実施例２】
【００４８】
実施例２では、軸３を空洞化した場合における使用方法について述べる。この使用方法に
ついては図６を用いて説明する。
【００４９】
図６で使用するペットボトルキャップ１は中心に穴８が開いており、前記穴８に空洞化し
た軸３を通すことで、ペットボトルキャップ１にティーパック４を取り付けることが出来
る取り付け部分２を設けている。
【００５０】
この様にしてペットボトルキャップ１にティーパック４を取り付けることが出来る取り付け部品２を設けた場合、ペットボトル５内においては、軸３ａに備え付けられた取り付け部分２ａ、２ｂに取り付けられたティーパック４ａ、４ｂ、は容器内に深く浸漬する。
【００５１】
実施例１とは違い、実施例２においては密閉されたペットボトル５の上面から軸３ｂが突
出している。
【００５２】
このペットボトル５の外側に突出した前記軸３ｂの先端を吸う事で、ペットボトル５内に
ある前記軸３ａの末端から水分が吸い上げられる。
【００５３】
この様に、前記軸３を空洞にすることにより、本来の抽出後に水分を吸収して膨張したティーパック殻４を、ペットボトル５の細口から簡単に引き抜いて取り出せる効果に併せてストローとしての効果をもたらす。
【実施例３】
【００５４】
実施例３においては、前記軸(棒)が首振り機能及び/又は可撓性を持つことを特徴とする
本願発明容器蓋１について説明する。
【００５５】
図３、図６、図７において、容器５を揺り動かしたり振り回したりした場合に、容器５内には円を描く回転水流Ｃが発生する。軸３は可撓性を持った場合は、鞭のように撓るので、前記回転水流Ｃにより、軸３の取り付け部分２に備えつけられたティーパック４はペットボトルキャップ１を支点として公転回転を行う。
【００５６】
この公転回転により、軸３の取り付け部分２に備えつけられたティーパック４は抽出時間
を短縮することが出来る。
【００５７】
実施例３では、図７を用いて、首振り機能を備えた場合の、本願発明容器蓋１について説明する。尚、実施例３における本願発明容器蓋のティーパック４は説明用に縮小して描いている。
【００５８】
軸３の上部先端は、球状の突起物９の形状をしており、ペットボトルキャップ１の底面に
備えられたベロを持つ穴１０に嵌めこまれることで、軸３は首振り機能（軸３の公転回転及び軸３自体の自転回転）を持つ。前記突起物は球状でなくても、首振り機能を備えさせるならどのような形態でも構わない。
【００５９】
軸３の上部先端部分を接合するペットボトルキャップ１の底面の接合ジョイントをゴムのような可撓性のある形状にしたり、バネのような形態にしたりすることで、首振り機能(この場合は軸の公転回転)を軸３に備えさせることが出来、これによりティーパック４ａはペットボトルキャップ１の底面（軸３の上部先端部分）を支点とした公転回転をすることが出来る。
【００６０】
図７では軸３の末端に錘１１を備えているが、錘１１を備えることで首振り機能が増す場合がある。
【００６１】
図８では、ペットボトル５を矢印Ａの方向に手で揺り動かした場合の動作を示す。図８で
は軸３に首振り機能(この場合は軸３の公転回転)を備えさせるためにペットボトルキャップ５の底面には軸３を接合するゴム管１２が備えられている。又軸３自体も可撓性を持つ材質で作られている。
【００６２】
まず、ペットボトルキャップ５を矢印Ａ方向に手で動かすと、回転水流Ｃが発生し、前記
首振り機能を備えたことで前記回転水流Ｃにより、軸３は３´、３´´方向に円を描いた
公転回転を行う。この公転回転により、ティーパック４ａ、４ｂは円を描いて揺れ動くの
で、成分の抽出時間は短縮される。
【００６３】
尚、実施例ではペットボトル５に特化した本願容器蓋１を用いたが、本願発明容器蓋１は、様々な容器に本願発明容器蓋のサイズを合わせることで、ペットボトル５以外の様々な容器においても本願発明容器蓋の使用が可能となる。
【符号の説明】
【００６４】
１  本願容器蓋（ペットボトルキャップ）
２    取り付け部分
３    軸
４   ティーパック(殻)
５   ペットボトル
６    細口
７    突起物に結合する穴      
８    ペットボトルキャップの中心の穴
９    球状の突起物
１０  ベロを持つ穴
１１  錘
１２  ゴム管
Ａ  ペットボトル５を揺り動かす方向を示す矢印
Ｂ  公転回転を示す矢印
Ｃ  回転水流を示す矢印
【要約】 
【課題】
本願発明は、主にペットボトル等の細口の容器において、ティーパックを抽出した後に、水分で膨張したティーパック殻を前記容器の前記細口から、如何に簡単に取り出すかを第１の課題とする。又、ティーパックの抽出速度を如何に速めるかということを第２の課題とする。
【解決手段】
容器蓋にティーパックを取り付けることが出来る取り付け部分を設けることで、前記取り付け部分に取り付けたティーパックを容器内に設けることが出来ることを特徴とするティーパック取り付け機能付き容器蓋を作成する。又、首振り機能を持つことを特徴とするティーパック取り付け機能付き容器蓋を作成する。
【選択図】  図１【図１】
0005395291.tif 000002
【図２】
0005395291.tif 000003
【図３】
0005395291.tif 000004
【図４】
0005395291.tif 000005
【図５】
0005395291.tif 000006
【図６】
0005395291.tif 000007
【図７】
0005395291.tif 000008
【図８】
0005395291.tif 000009